(57)【要約】  燃焼安定化装置（１００）は、主室（３３）及び該主室（３３）と連通する副室（３４）を有した燃焼室（３２）と、副室（３４）内で燃焼を誘導する点火装置（２３）とを備えた副室式ガスエンジン（１）に適用される。燃焼安定化装置（１００）は、副室（３４）にガス燃料を供給する副室燃料供給装置（２２）と、副室燃料供給装置（２２）から副室（３４）へのガス燃料の供給量の目標値である目標副室燃料供給量を設定する制御装置（６０）とを備える。制御装置（６０）は、混合気燃焼後の副室内圧を表す内圧評価パラメータに応じて目標副室燃料供給量を設定する。
2014049646.tif 000002
【特許請求の範囲】
【請求項１】
主室及び該主室と連通する副室を有した燃焼室と、前記副室内で燃焼を誘導する点火装置とを備える副室式ガスエンジンに適用される燃焼安定化装置であって、
前記副室にガス燃料を供給する副室燃料供給装置と、
前記副室燃料供給装置から前記副室へのガス燃料の供給量の目標値である目標副室燃料供給量を設定する制御装置と、を備え、
前記制御装置は、点火後の前記副室の内圧を決定する内圧評価パラメータに応じて前記目標副室燃料供給量を設定する、副室式ガスエンジン用の燃焼安定化装置。
【請求項２】
前記制御装置は、前記内圧評価パラメータに応じて前記目標副室燃料供給量を求めるための制御マップを記憶している、請求項１に記載の副室式ガスエンジン用の燃焼安定化装置。
【請求項３】
前記内圧評価パラメータが点火時期である、請求項１又は２に記載の副室式ガスエンジン用の燃焼安定化装置。
【請求項４】
点火時期が、前記副室の内圧を圧縮上死点で最大値とする基準点火時期よりも進角されている場合、前記制御装置は、当該点火時期が遅角していればしているほど、前記目標副室燃料供給量を小さくなるよう設定する、請求項３に記載の副室式ガスエンジン用の燃焼安定化装置。
【請求項５】
前記制御装置は、前記基準点火時期に対応して設定される目標副室燃料供給量を最小値とする、請求項４に記載の副室式ガスエンジン用の燃焼安定化装置。
【請求項６】
前記副室燃料供給装置から供給されるガス燃料の性状として、前記ガスエンジンでのノッキングの生じにくさを示すノッキング抵抗指数を検出する性状検出器をさらに備え、
前記制御装置は、前記性状検出器により検出されたノッキング抵抗指数に応じて目標副室燃料噴射量を設定し、ノッキング抵抗指数が低ノッキング抵抗性を示していればいるほど前記目標副室燃料噴射量を小さくする、請求項１乃至５のいずれか１項に記載の副室式ガスエンジン用の燃焼安定化装置。
【発明の詳細な説明】
【技術分野】
【０００１】
本発明は、主室及び該主室と連通する副室を有する燃焼室と、副室内で燃焼を誘導する点火装置とを備えた副室式ガスエンジンに適用される燃焼安定化装置に関し、特に、副室にガス燃料を供給する副室燃料供給装置を備えた燃焼安定化装置に関する。
【背景技術】
【０００２】
ガスエンジンは、主たる燃料にガス燃料を用いるエンジンであり、従来から様々な燃焼室構造様式、燃焼方式及びその組合せが提案されている。その組合せの一例として、いわゆる副室式火花点火や副室式パイロット着火が良く知られており、特許文献１は、４ストロークレシプロ式の副室式火花点火ガスエンジンを開示している。【０００３】
副室式ガスエンジンは、ガス燃料を含んだ混合気の供給を受ける燃焼室と、例えば火花を発生して混合気を点火する点火装置とを備える。燃焼室は、主室及び該主室と連通する副室とを有しており、点火装置は、例えば副室内で火花を発生するように配置され、火花の発生の代わりに微小の軽油を噴射してもよい。副室内の火炎は、主室を副室から区画する隔壁に設けられた連通穴を介し、副室から主室へと噴出され、噴出されたトーチが火種となり主室内の混合気を着火させる。【０００４】
特許文献１の副室式ガスエンジンは、副室にガス燃料を供給する燃料噴射弁と、当該燃料噴射弁を制御するＥＣＵとを備え、主室とは独立して副室内の空気過剰率を制御することができる。このガスエンジンでは、エンジン回転数及び負荷に応じて副室内の空気過剰率が制御される。
【先行技術文献】
【特許文献】
【０００５】
【特許文献１】特開２００７−１９８１４０号公報
【発明の概要】
【発明が解決しようとする課題】
【０００６】
特許文献１の副室式ガスエンジンでは、主室内の燃焼状態の安定化を目的として、運転状態に応じて副室内の空気過剰率を制御している。しかし、このような制御を実行しても、副室内での燃焼状態を制御の対象とするものではなく、必ずしも副室内の燃焼状態の安定を担保することができない。例えば、主室の燃焼状態を監視しながら空気過剰率を制御しても、副室内圧が圧縮及び燃焼の相乗的作用により過度に大きくなり、その結果副室内の燃焼状態が異常になる可能性がある。副室内で生じた火炎は、主室内の混合気の火種となるので、副室内で異常燃焼が生じれば、主室内の異常燃焼を誘発するおそれがある。【０００７】
そこで本発明は、いわゆる副室式ガスエンジンにおいて、副室内の燃焼状態を安定化することを目的としている。
【課題を解決するための手段】
【０００８】
本発明は上記目的を達成すべくなされたものである。本発明に係る燃焼安定化装置は、主室及び該主室と連通する副室を有した燃焼室と、前記副室内で燃焼を誘導する点火装置とを備える副室式ガスエンジンに適用される燃焼安定化装置であって、前記副室にガス燃料を供給する副室燃料供給装置と、前記副室燃料供給装置から前記副室へのガス燃料の供給量の目標値である目標副室燃料供給量を設定する制御装置と、を備え、前記制御装置は、点火後の前記副室の内圧を決定する内圧評価パラメータに応じて前記目標副室燃料供給量を設定する。【０００９】
前記構成によれば、点火後の副室の内圧を決定する内圧評価パラメータに応じて、副室燃料供給装置から副室に供給されるガス燃料量の目標値（目標副室燃料供給量）が設定される。したがって、副室の内圧の変動に応じて副室へのガス燃料の供給量を調整することができ、それにより副室内圧の変動に伴って生じる可能性のある異常燃焼を回避することができ、副室内圧が変動しても副室内の燃焼状態を安定させ続けることができる。【００１０】
前記制御装置は、前記内圧評価パラメータに応じて前記目標副室燃料供給量を求めるための制御マップを記憶していてもよい。【００１１】
前記構成によれば、副室内の燃焼状態を安定させることを目的とした制御を簡便に行うことができるようになる。【００１２】
前記内圧評価パラメータが点火時期であってもよい。副室の内圧は、１つのエンジンサイクル内において圧縮の作用により変動する。一方、副室内の混合気が点火されると、その点火時期の直後に、混合気の燃焼により副室内圧の急上昇及び急降下が表れる。副室の内圧は、この圧縮の作用による圧力変動に燃焼による圧力変動が組み合わされたものとなるので、点火時期は、副室の内圧に大きな影響を及ぼすパラメータであると言える。前記構成によれば、点火時期に応じて目標副室燃料供給量が設定されるので、点火時期の変動がエンジンサイクル間で生じたとしても、これに良好に対処して副室内の燃焼状態を安定させ続けることができる。【００１３】
点火時期が、前記副室の内圧を圧縮上死点で最大値とする基準点火時期よりも進角されている場合に、前記制御装置は、当該点火時期が遅角していればしているほど、前記目標副室燃料供給量を小さくなるように設定してもよい。【００１４】
前記構成によれば、点火時期が基準点火時期よりも進角されている場合、当該点火時期における副室の内圧は、当該点火時期が遅角していればいるほど圧縮作用により大きくなる。このように圧縮作用により副室の内圧が高くなるときほど、副室燃料供給装置から副室に供給されるガス燃料の供給量を小さくしているので、燃焼による圧力変動を小さくすることができる。よって、点火時期が基準点火時期に近づいていて副室の内圧が高くなっていても、燃焼による圧力変動の影響を受けて副室の内圧が過度に大きくなるのを避けることができる。したがって、副室内の燃焼状態を安定させ続けることができる。【００１５】
前記制御装置は、前記基準点火時期に対応して設定される目標副室燃料供給量を最小値としてもよい。【００１６】
前記構成によれば、点火時期が基準点火時期であっても、副室内の燃焼状態を極力安定化させることができる。また、点火時期が基準点火時期よりも遅角された場合には、副室内圧を、副室内の燃焼状態を極力安定化させながら高い値に保持することができ、ガスエンジンの安定的な運転を維持することができる。【００１７】
前記副室燃料供給装置から供給されるガス燃料の性状として、前記ガスエンジンでのノッキングの生じにくさを示すノッキング抵抗指数を検出する性状検出器をさらに備え、前記制御装置は、前記性状検出器により検出されたノッキング抵抗指数に応じて目標副室燃料供給量を設定し、ノッキング抵抗指数が低ノッキング抵抗性を示していればいるほど前記目標副室燃料供給量を小さくしてもよい。【００１８】
本件発明者の知見によれば、ノッキング抵抗指数が低ノッキング抵抗性を示すと（すなわち、ガス燃料が高い着火性を有していてノッキングを生じやすい性質を有していると）、点火時期を基準にしたノッキング限界がより遅角された値になる。一方、ノッキング抵抗指数が低ノッキング抵抗性を示すと、点火時期を基準にした副室の異常燃焼限界はより進角された値になる。つまり、ノッキング抵抗指数が示すノッキング抵抗性が低ければ低いほど、主室内でも副室内でも燃焼状態を正常に保てる点火時期の範囲（以下、説明の便宜上「正常点火域」と称す）が狭くなってしまう。【００１９】
前記構成によれば、ノッキング抵抗指数が低ノッキング抵抗性を示す場合に、目標副室燃料供給量が小さくなる。これにより、副室燃料供給装置から副室へのガス燃料の供給量が小さくなり、副室内での空気過剰率がリーン化する。すると、副室の異常燃焼限界が遅角側にシフトされ、正常点火域が拡大する。よって、主室内でも副室内でも燃焼状態を正常に保つようにして、点火時期を広い範囲で調整することができるようになる。
【発明の効果】
【００２０】
以上の説明から明らかなように、本発明によれば、副室式ガスエンジンにおいて、副室内の燃焼状態を安定化することができる。
【図面の簡単な説明】
【００２１】
【図１】本発明の実施形態に係る副室式ガスエンジンを備えた発電システムの全体構成を示す概念図である。
【図２】図１に示すガスエンジンの各気筒及び制御器の構成を示す概念図である。
【図３】図２に示す制御器に記憶された第１制御マップを二次元直交座標系内で概念的に示すグラフである。
【図４】図２に示す制御器に記憶された第２制御マップを二次元直交座標系内で概念的に示すグラフである。
【図５】図２に示す制御器により実行される制御の作用を示すグラフである。
【図６】ノッキング抵抗指数及び点火時期を基準とした主室のノッキング限界と副室の異常燃焼限界とを示すグラフである。
【図７】点火時期を基準とした主室のノッキング限界と副室の異常燃焼限界とを示すグラフである。
【発明を実施するための形態】
【００２２】
以下、図面を参照しながら本発明の実施形態について説明する。全ての図を通じて、同一の又は対応する要素には同一の符号を付し、重複する詳細な説明を省略する。
【００２３】
［ガスエンジンの全体構成］
図１は、本発明の実施形態に係るガスエンジン１の全体構成を示す概念図である。図１に示すガスエンジン１は、ガス燃料を使用する４ストロークレシプロエンジンであり、燃焼室構造様式及び燃焼方式に一例として「副室式火花点火」を採用している。ガスエンジン１は、ガス燃料を含む混合気を燃焼し、出力軸２で回転出力を発生する。出力軸２は、図１に示すように、例えば交流発電機３と接続される。このように、ガスエンジン１を交流発電機３の駆動源に適用した発電システムは、産業用プラントに導入されてもよいし、船舶に搭載されてもよい。ガスエンジン１が船舶に搭載される場合、出力軸２を交流発電機３に替えて当該船舶の推進器に接続してもよい。
【００２４】
ガスエンジン１は、複数の気筒４を有したエンジン本体５を備えている。なお、気筒４の数及び配列は、特に限定されない。ガスエンジン１には、給気を各気筒４に供給する給気ライン６と、排気を各気筒４から排出する排気ライン７と、給気ライン６及び排気ライン７に接続された過給機（ターボチャージャ）８とが設けられている。給気ライン６は、複数の気筒４に対して共通の共通部１１と、共通部１１を対応する気筒に接続する複数の分岐部１２（図２参照）とを含む。排気ライン７も、複数の気筒４に対して共通の共通部１３と、対応する気筒４を共通部１３に接続する複数の分岐部１４とを含む。給気ライン６の分岐部１２の下流端部は、エンジン本体５内に形成された給気ポート１２ａであり、対応する気筒４の燃焼室３２（詳しくは主室３３）に連通している（図２を参照）。排気ライン７の分岐部１４の上流端部は、エンジン本体５内に形成された排気ポート１４ａであり、対応する気筒４の燃焼室３２（詳しくは主室３３）に連通している（図２を参照）。過給機８は、排気ライン７の共通部１３上のタービン９と、給気ライン６の共通部１１上のコンプレッサ１０とを有している。過給機８は、排気ライン７を流れる排気により駆動され、給気ライン６を流れるエアを過給する。
【００２５】
ガスエンジン１には、ガス燃料を各気筒４に供給する燃料ライン１５が設けられている。燃料ライン１５は、燃料供給源（不図示）から延び、複数の気筒４に対して共通の共通部１６と、共通部１６から分岐し、共通部１６から対応する気筒４へとガス燃料を導く複数の分岐部１７とを含む。また、各気筒４には、主室燃料供給装置２１、副室燃料供給装置２２及び点火装置２３が設けられている。このように１つの気筒４に２つの燃料供給装置２１，２２が設けられているので、燃料ライン１５の分岐部１７には、ガス燃料を共通部１６から主室燃料供給装置２１に導く主分岐部１８と、ガス燃料を共通部１６から副室燃料供給装置２２に導く副分岐部１９とが含まれる。
【００２６】
図２は、本発明の実施形態に係る燃焼安定化装置１００の構成を、図１に示すガスエンジン１の気筒４の構成と併せて示す概念図である。なお、図２は、１つの気筒４のみの構成を示しているが、他の気筒４も同様の構成を有している。図２に示すように、各気筒４内には、ピストン３１が往復動自在に挿入されている。ピストン３１は不図示のコネクティングロッドを介して出力軸２に連結されている。
【００２７】
また、各気筒４には、混合気を燃焼させる燃焼室３２が設けられている。燃焼室３２は、ピストン３１の上面側に形成される主室３３と、主室３３と連通した副室３４とを有している。副室３４は、主室３３の上部に設けられた隔壁３５を介して主室３３と区画され、また、隔壁３５に形成された連通穴３６を介して主室３３と空間的に連通している。
【００２８】
エンジン本体５は、前述した給気ポート１２ａ及び排気ポート１４ａを有している。給気ポート１２ａは、給気ライン６の分岐部１２を構成し、その下流端部にて主室３３に連通している。排気ポート１４ａは、排気ライン７の分岐部１４を構成し、その上流端部にて主室３３に連通している。各気筒４には、給気弁３７及び排気弁３８が設けられている。給気弁３７は、給気ポート１２ａの下流端部を開閉し、排気弁３８は、排気ポート１４ａの上流端部を開閉する。
【００２９】
主室燃料供給装置２１は、燃料ライン１５の主分岐部１８上に介在し又は主分岐部１８の末端に設けられ、ガス燃料を給気ライン６の分岐部１２に供給する。本実施形態に係る主室燃料供給装置２１は、エンジン本体５に取り付けられ、給気ポート１２ａにガス燃料を供給する。副室燃料供給装置２２は、燃料ライン１５の副分岐部１９上に介在し又は副分岐部１９の末端に設けられ、ガス燃料を副室３４内に供給する。
【００３０】
本実施形態では、各気筒４に、前述の隔壁３５を有して副室３４を形成する副室形成部材３９が設けられており、副室形成部材３９は、隔壁３５が副室形成部材３９の下端部をなすようにして、シリンダ軸線に沿って上下方向に延在している。燃料ライン１５の副分岐部１９は、副室形成部材３９の上部にて副室形成部材３９内へと延び、副室３４の内上面に開口している。副室燃料供給装置２２は、副室形成部材３９の外部に配置され、燃料ライン１５の副分岐部１９上に介在している。なお、副分岐部１９上であって副室燃料供給装置２２と副室３４への開口との間には、逆止弁４０が設けられている。これにより、副室３４から副室燃料供給装置２２に向けてガスが逆流するのを阻止することができる。
【００３１】
主室燃料供給装置２１及び副室燃料供給装置２２は、例えば常閉電磁開閉弁であり、開弁指令が与えられている期間に開弁する。主室燃料供給装置２１が開弁している間、ガス燃料が給気ポート１２ａに供給される。副室燃料供給装置２２が開弁している間、ガス燃料が副室３４に供給される。点火装置２３は、副室形成部材３９に取り付けられており、例えば火花を発生する部分が副室３４内に配置されている。点火装置２３は、例えば、通電時に火花を発生する電極を有した点火プラグである。
【００３２】
上記構成のガスエンジン１においては、ピストン３１が下動する給気行程では、主室燃料供給装置２１がガス燃料を給気ポート１２ａに供給すると共に、給気弁３７が給気ポート１２ａを開く。これにより、過給機８からの給気と主室燃料供給装置２１からのガス燃料との混合気が、給気ポート１２ａから主室３３へと供給される。ピストン３１が上動する圧縮行程では、給気弁３７が閉じられ、混合気が主室３３内で圧縮される。このとき、主室３３内の圧縮混合気が連通穴３６を通って副室３４内に供給される。そして副室燃料供給装置２２は、給気行程において、副室３４内にガス燃料を噴射する。これにより副室３４内の混合気の空気過剰率が、主室３３内の混合気の空気過剰率と比べて小さくなる。
【００３３】
圧縮行程が終了する時期の近傍で点火装置２３が動作し、副室３４内で例えば火花が発生する。これにより副室３４内の混合気が着火し、副室３４内で火炎が発生する。副室３４内の火炎は連通穴３６を介して主室３３内へと噴出され、この噴出されたトーチが主室３３内の混合気を着火し、主室３３内で火炎が伝播していく。このようにして副室３４内及び主室３３内の混合気が燃焼し、ピストン３１が下動する。この膨張行程後の排気行程では、排気弁３８が排気ポート１４ａを開き、主室３３内及び副室３４内のガスが排気ライン７へと排出される。このとき、逆止弁４０の作用により、燃焼排ガスが副分岐部１９を逆流するのを阻止することができる。
【００３４】
［燃焼安定化装置の構成］
このガスエンジン１には、燃焼安定化装置１００が適用されている。燃焼安定化装置１００は、点火時期の変動及びガス燃料の性状の変動に対応して副室３４内の燃焼状態を安定化させることを目的とした燃焼制御を実行するものである。燃焼安定化装置１００は、前述した主室燃料供給装置２１、副室燃料供給装置２２及び点火装置２３を備えている。更に、燃焼安定化装置１００は、ノッキング抵抗指数センサ５１及び制御器６０を備えている。制御器６０は、ＣＰＵ、ＲＯＭ、ＲＡＭ及び入出力インターフェイスを備えている。制御器６０の入力側が、ノッキング抵抗指数センサ５１と接続されており、制御器６０の出力側が、主室燃料供給装置２１、副室燃料供給装置２２及び点火装置２３と接続されている。
【００３５】
ノッキング抵抗指数センサ５１は、ガス燃料の性状として、ガスエンジン１（例えば主室３３）内でのノッキングの生じにくさを定量的に示すノッキング抵抗指数を検出する。ノッキング抵抗指数には、例えばメタン価を好適に適用可能である。一般的な傾向として、軽質の炭化水素の濃度が高くなると、混合気が着火しにくくなり、それにより主室３３内でのノッキングが生じにくくなる。そして、軽質の炭化水素の濃度が高くなると、ガス燃料のメタン価は高くなる。重質の炭化水素の濃度が高い場合は、これと逆に主室３３内でのノッキングが生じやすくなるとともにガス燃料のメタン価が低くなる。このような観点から、ノッキング抵抗指数センサ５１には、燃料ライン１５中のガス燃料のメタン価を検出するメタン価センサを好適に適用することができる。また、ガス燃料の組成に応じてメタン価が決まるし、ガス燃料の着火性が決まることから、ノッキング抵抗指数センサ５１には、ガスクロマトグラフィーを好適に適用することができる。
【００３６】
また、一般的な傾向として、軽質の炭化水素の濃度が高くなると、ガス燃料の単位体積当たりの発熱量が小さくなるし、燃焼排ガスに含まれる酸素の濃度（以下、残存酸素濃度と称す）が低くなる。重質の炭化水素の濃度が高くなると、これとは逆になる。このため、ノッキング抵抗指数には、ガス燃料の発熱量や残存酸素濃度も適用可能である。ノッキング抵抗指数にガス燃料の発熱量を適用する場合、ノッキング抵抗指数センサ５１には、燃料ライン１５中のガス燃料の単位体積当たりの発熱量を検出するカロリーメータを適用することができる。ノッキング抵抗指数に残存酸素濃度を適用する場合、ノッキング抵抗指数センサ５１には、排気ライン７中の残存酸素濃度を検出する酸素濃度センサを適用することができる。メタン価センサ、ガスクロマトグラフィー及びカロリーメータは、図２に示すように燃料ライン１５の共通部１６に設けられていることが好ましく、酸素濃度センサは、排気ライン７の共通部１３に設けられていることが好ましい。なお、燃焼安定化装置１００は、ノッキング抵抗指数センサ５１として、上記例示した４種の検出器のうち２種以上の検出器を備えていてもよい。
【００３７】
以上のように、メタン価が高いとき、発熱量が小さいとき、残存酸素濃度が低いとき、気筒４に供給されるガス燃料は、ガスエンジン１でのノッキングを生じにくい性質（以下、説明の便宜のため「高ノッキング抵抗性」と称す）を有していると考えることができる。逆に、メタン価が低いとき、発熱量が大きいとき、残存酸素濃度が高いとき、気筒４に供給されるガス燃料は、ガスエンジン１でのノッキングを生じやすい性質（以下、説明の便宜のため「低ノッキング抵抗性」と称す）を有していると考えることができる。
【００３８】
制御器６０は、副室３４内の燃焼状態を安定化させることを目的とした燃焼制御を実行するための機能部分として、性状判定部６１と、副室噴射期間マップ記憶部６２と、点火制御部６３と、噴射制御部６４とを備えている。
【００３９】
性状判定部６１は、ノッキング抵抗指数センサ５１からの信号に基づいてノッキング抵抗指数を測定する。特に、ノッキング抵抗指数センサ５１に複数の検出器を適用する場合、性状判定部６１は、複数の検出器による検出結果を考慮してガス燃料のノッキング抵抗指数を判定するように構成されていてもよい。逆に、ノッキング抵抗指数センサ５１に単一の検出器を適用した場合（特に、メタン価センサを適用した場合）には、必ずしも制御器６０がノッキング抵抗指数を測定又は判定する機能部分を備えていなくてもよい。
【００４０】
副室噴射期間マップ記憶部６２は、点火後の副室の内圧を決定する内圧評価パラメータと、副室３４へのガス燃料の供給量の目標値である目標副室燃料供給量（又はその補正値）との対応関係を表した第１制御マップ７１（図３参照）を記憶している。本実施形態では、第１制御マップ７１は、点火時期に応じて、副室燃料供給装置２２から副室３４へのガス燃料の供給期間の目標値である目標副室燃料供給期間（又はその補正値）を求めることができるように構成されている。つまり、本実施形態では、内圧評価パラメータが点火時期である。副室燃料供給装置２２に供給されるガス燃料の圧力が一定であれば、副室燃料供給装置２２から副室３４にガス燃料が供給される期間は、当該期間内に副室燃料供給装置２２から副室３４に供給されたガス燃料量と略等しくなるので、目標副室燃料供給量の替わりに目標副室燃料供給期間を好適に適用することができる。また、副室噴射期間マップ記憶部６２は、ノッキング抵抗指数と、目標副室燃料供給量（又はその補正値）との対応関係を表した第２制御マップ７２（図４参照）を記憶している。第２制御マップ７２も、第１制御マップ７１と同様にして、目標副室燃料供給量そのものに替えて目標副室燃料供給期間を求めることができるように構成されている。第１制御マップ７１及び第２制御マップ７２は、演算式の形態でも、ルックアップテーブルの形態でもよい。
【００４１】
点火制御部６３は、気筒４毎に目標点火時期を設定する。点火制御部６３は、各気筒４において、副室３４内の混合気が設定された目標点火時期に着火するように点火装置２３を制御する。点火制御部６３は、目標負荷及び目標出力に応じて目標点火時期を決定するガバナ制御、気筒４間の分担負荷を平準化するように各気筒４における目標点火時期を調整する負荷平準化制御、主室３３内でのノッキングを検知した場合にノッキングを抑制するよう目標点火時期を遅角させるノッキング抑制制御など、種々目的で実行される制御の結果を参照しながら目標点火時期を設定する。これら複数の制御の結果、目標点火時期は、おおよそ、主室３３内でのノッキングが生じるか否かの限界であるノッキング限界付近に設定され、それによりガスエンジンの高効率化が図られる。
【００４２】
噴射制御部６４は、ガス燃料の供給期間の目標値を設定し、ガス燃料が設定された目標期間供給されるように主室燃料供給装置２１及び副室燃料供給装置２２を制御する。この目標値とは、主室３３へのガス燃料の供給期間の目標値である目標主室燃料供給期間と、副室３４へのガス燃料の供給期間（いわゆる副室デュレーション）の目標値である目標副室燃料供給期間を指し、いずれも独立して気筒４毎に設定される。噴射制御部６４は、目標主室燃料供給期間を気筒４毎に独立して設定し、目標副室燃料供給期間を気筒４毎に独立して設定する。
【００４３】
なお、目標主室燃料供給期間又は目標副室燃料供給期間の設定にあたっては、噴射制御部６４は、ガバナ制御、負荷平準化制御及びノッキング抑制制御等、種々制御の結果を考慮する。更に、本実施形態に係る噴射制御部６４は、副室噴射期間マップ記憶部６２に記憶された第１制御マップ７１を参照して、点火制御部６３により設定された目標点火時期に応じて目標副室燃料供給期間を設定する。本実施形態に係る噴射制御部６４は、副室噴射期間マップ記憶部６２に記憶された第２制御マップ７２を参照して、性状判定部６１により判定されたノッキング抵抗指数に応じて目標副室燃料供給期間を設定する。
【００４４】
目的が異なるものの副室燃料供給期間を制御対象とする複数の制御を並行実施しながら目標副室燃料供給期間を設定するため、噴射制御部６４は、内圧評価パラメータの一例としての目標点火時期に応じて、一次的に目標副室燃料供給量の代替としての目標副室燃料供給期間を設定し、設定された目標副室燃料供給期間を、他の制御結果を考慮し且つノッキング抵抗指数に応じて補正してもよい。この場合、第２制御マップ７２は、ノッキング抵抗指数と目標副室燃料供給期間の補正値との対応関係を規定するものとなっていてもよい。噴射制御部６４は、ノッキング抵抗指数に応じて一次的に目標副室燃料供給量の替わりとして目標副室燃料供給期間を設定し、設定された目標副室燃料供給期間を他の制御結果を考慮し且つ目標点火時期に応じて補正してもよい。この場合、第１制御マップ７１は、点火時期と目標副室燃料供給期間の補正値との対応関係を規定するものとなっていてもよい。いずれにせよ、本実施形態に係る噴射制御部６４は、内圧評価パラメータの一例としての点火時期及びノッキング抵抗指数それぞれに応じて、目標副室燃料供給量そのものの替わりとしての目標副室燃料供給期間を設定するように構成されている。
【００４５】
図３は、第１制御マップ７１を二次元直交座標系内で概念的に示すグラフである。図３では、横軸が点火時期を表し、縦軸が目標副室燃料供給期間を表している。前述のとおり、複数の制御を並行実施するに際し、点火時期に応じて目標副室燃料供給期間を補正する場合には、縦軸が表す指標を目標副室燃料供給期間の補正値として捉えることができる。図３の実線で示すように、本実施形態に係る第１制御マップ７１によれば、点火時期が、副室内圧が圧縮上死点で最大値となるような点火時期（以下、説明の便宜上「基準点火時期」と称す）へと遅角されればされるほど、目標副室燃料供給期間が短くなる。すなわち、１つのエンジンサイクル内における副室燃料供給装置２２（図２参照）の開弁期間が短くなり、副室３４に供給されるガス燃料量が小さくなる。点火時期が基準点火時期から更に遅角されればされるほど、目標副室燃料供給期間が長くなる。すなわち、１つのエンジンサイクル内における副室燃料供給装置２２（図２参照）の開弁期間が長くなり、副室３４に供給されるガス燃料量が大きくなる。
【００４６】
このように本実施形態では、点火時期が基準点火時期よりも進角されている場合には、目標副室燃料供給期間が、当該点火時期が遅角されていればいるほど小さくなるよう設定される。そして、基準点火時期に応じて設定される目標副室燃料供給期間が最小値をとる。なお、この場合の作用については後述する。
【００４７】
第１制御マップ７１は、実線で示すように下に凸の曲線であってもよいし、二点鎖線で示すように上に凸の曲線であってもよいし、一点鎖線で示すように線形であってもよいし、破線で示すように階段状であってもよい。
【００４８】
図４は、第２制御マップ７２を二次元直交座標系内で概念的に示したグラフである。図４においては、横軸がノッキング抵抗指数（例えば、メタン価、単位体積当たりの発熱量、残存酸素濃度）、縦軸が目標副室燃料供給期間を表している。前述のとおり、複数の制御を並行実施するに際し、ノッキング抵抗指数に応じて目標副室燃料供給期間を補正する場合には、縦軸が表す指標を目標副室燃料供給期間の補正値として捉えることができる。
【００４９】
図４に示す第２制御マップ７２によれば、ノッキング抵抗指数が低ノッキング抵抗性を示すようになればなるほど（例えば、メタン価が低いほど、単位体積当たり発熱量が大きいほど、残存酸素濃度が高いほど）、目標副室燃料供給期間が短縮され、副室燃料供給装置２２から副室３４に供給されるガス燃料量が小さくなる。したがって、目標副室燃料供給期間は、ノッキング抵抗指数が低ノッキング抵抗性を示す値であればあるほど小さくなるように設定される。
【００５０】
第２制御マップ７２も、第１制御マップ７１と同様にして、実線で示すように上に凸の曲線であってもよいし、二点鎖線で示すように下に凸の曲線であってもよいし、一点鎖線で示すように線形であってもよいし、破線で示すように階段状であってもよい。
【００５１】
［燃焼安定化装置の作用］
以下、これら第１及び／又は第２制御マップ７１，７２を参照しながら目標点火時期及び目標副室燃料供給期間を設定することにより得られる作用及び効果について説明する。なお、以降では、ガスエンジン１及び燃焼安定化装置１００の構成要素に、図３〜図７には示していないが図１及び図２に示した参照符号を適宜付しながら説明する。
【００５２】
図５は、点火時期の変動に応じて目標副室燃料供給期間を設定する制御の作用を示すグラフである。図５では、横軸が点火時期を表し、縦軸が副室内圧を表している。図５の破線は、点火時期が圧縮下死点と圧縮上死点との間であって圧縮上死点により近い通常の場合であり且つ目標副室燃料供給期間が第１制御マップ７１を参照して設定された場合における、副室内圧の推移を示している。図５の一点鎖線は、点火時期が前述の基準点火時期に設定され且つ目標副室燃料供給期間が破線で示したものと同じである場合における、副室内圧の推移を示している。図５の実線は、点火時期が基準点火時期に設定され且つ目標副室燃料供給期間が第１制御マップ７１を参照して設定された場合における、副室内圧の推移を示している。
【００５３】
一般に、圧縮行程及び膨張行程では、給気弁３７及び排気弁３８が閉じているので、ピストン３１が圧縮下死点から圧縮上死点に近づくに連れ、筒内圧が上昇する。また、混合気が副室３４内で着火すると、混合気が燃焼に伴って膨張し、それにより筒内圧が上昇する。この場合、目標点火時期は、圧縮下死点よりも遅角された時期に設定され、概ね圧縮上死点の近傍に設定される。
【００５４】
ここで、図５の破線で示すように、目標点火時期が、圧縮下死点よりも遅角され圧縮上死点よりも進角された或る時期Ｔ１に設定されているとする（通常の場合）。当該点火時期Ｔ１で副室３４内の混合気が着火すると、副室３４の内圧が副室３４内の混合気の燃焼により急激に上昇する。この燃焼により生じた高圧は、連通穴３６を介して主室３３へと逃げるので、副室３４の内圧が再び降下するが、主室３４内の混合気がトーチにより着火されて燃焼する。これにより、主室３３で生じた燃焼圧が連通穴３６を介して副室３４内に作用し、それにより副室３４の内圧が再び上昇する。
【００５５】
副室３４の内圧が図５の破線の推移を示す場合に、副室３４の燃焼状態が正常であるとする。前述したようにノッキング抑制制御や負荷平準化制御の並行実施等の影響を受けて点火時期が上記点火時期Ｔ１から遅角されると、副室３４の内圧が、この遅角された点火時期Ｔ２の直後から副室３４内の混合気の燃焼により急激に上昇する。点火時期が遅角していくにつれピストン３１の上動により筒内圧は上昇する。このため、点火時期Ｔ２で混合気が点火されると、副室３４の内圧は、ピストン３１の上動による筒内圧の上昇との相乗的作用により、図５の一点鎖線に示すように過剰に大きくなる可能性がある。副室３４の内圧が大きくなり過ぎると、副室３４の内面付近に存在する混合気（いわゆる副室エンドガス）が、点火装置により発生した副室３４内の火炎が副室内面付近まで伝播するよりも前に自己着火するおそれがある。このようにして副室３４内で異常燃焼が発生すると、隔壁３５の損傷を招くおそれがある。また、適正なトーチが噴出されなくなり、主室３３内の失火又はノッキングを誘発するおそれがある。
【００５６】
そこで本実施形態に係る燃焼安定化装置１００では、前述したように点火時期が遅角すると、目標副室燃料供給期間を小さくするよう制御する。これにより、副室３４内の空気過剰率が高くなり、副室３４内の燃焼が鈍化する。例えば、燃焼速度が遅くなったり、燃焼ガスの膨張に伴う圧力上昇の程度が小さくなったりする。すると、図５の実線が示すとおり、副室３４内の燃焼に伴う圧力上昇が鈍化し、副室３４の内圧が過剰に上昇するのを抑制することができる。これにより、副室３４内の内面付近の混合気が自己着火するよりも前に、当該混合気に火炎が伝播し、それにより副室３４内の燃焼状態を正常に保つことができる。このように副室３４内での異常燃焼の発生を抑えることができるので、ひいては主室３３内の失火及びノッキングをも抑制することが可能になる。
【００５７】
そして、点火時期が基準点火時期であるときは、目標副室燃料供給期間が最小値をとるように制御される。このため、点火時期が基準点火時期である場合にも、副室３４内の燃焼状態を極力安定させることができる。また、点火時期が基準点火時期よりも遅角されるときは、目標副室燃料供給期間が、点火時期が基準点火時期であるときよりも長くなるよう制御する。これにより、副室３４の内圧が過剰に低下するのを抑制することができる。よって、副室３４内の燃焼状態を極力安定化させながら、副室３４の内圧を適切に保持することができ、ガスエンジン１の安定的な運転を維持することができる。
【００５８】
図６は、ノッキング抵抗指数及び点火時期を基準にして、主室のノッキング限界と副室の異常燃焼限界とを示したグラフである。図７は、点火時期を基準にして、主室のノッキング限界と副室の異常燃焼限界とを示したグラフである。
【００５９】
図６及び図７に示すように、ノッキング抵抗指数が高ノッキング抵抗性を示すほど、点火時期を基準とした主室３３のノッキング限界（主室３３内でノッキングが発生するか否かの閾値となる点火時期）が進角側にシフトする。すなわち、高ノッキング抵抗性を有するガス燃料（例えば、高メタン価のガス燃料）を用いているときには、点火時期をより進角して高出力及び高効率を達成しながら、主室３３内のノッキングの発生を抑えることができる。一方、低ノッキング抵抗性を有するガス燃料を用いているとき（図７におけるメタン価低下の場合）には、点火時期をより遅角させ、主室３３内のノッキングを抑えながら、なるべく高出力及び高効率を達成することが求められる。つまり、高出力及び高効率の達成とノッキングの発生の抑制とを両立するため、通常、点火時期は、主室３３のノッキング限界付近に設定される。
【００６０】
本件発明者らは、ガス燃料の性状に対応して副室３４の燃焼状態を安定化させる燃焼安定化装置１００を開発する過程で、ガス燃料のノッキング抵抗指数（例えばメタン価）に応じて副室３４の燃焼状態の正常性と異常性との境界を規定する点火時期が存在するとの知見を得た。この副室３４の異常燃焼限界は、図６に示すとおり、ノッキング抵抗指数（例えばメタン価）が通常とり得る範囲内におけるどの値であっても、主室３３のノッキング限界と交差することはなく、主室３３のノッキング限界よりも遅角側で推移する。これは、点火時期が圧縮上死点よりも十分に進角した状態でのエンジン運転を考慮しているためであり、また、副室３４の異常燃焼が最も発生しやすい条件は、副室内圧が圧縮上死点で最大値となる点火時期（基準点火時期）であるためである。これは、ピストン３１による圧縮によって筒内圧が最も高くなる時期と、副室内圧の最大値発生が同期することに起因する。つまり、本現象は、圧縮上死点よりも進角した範囲での事象である。
【００６１】
本件発明者らは、この範囲において、ノッキング抵抗指数（例えばメタン価）が決まれば、主室３３のノッキングを回避し且つ副室３４の異常燃焼を回避することができる点火時期の範囲（以下、説明の便宜のため「正常点火域」と称す）が定まるとの知見を得た。そして、ノッキング抵抗指数が高ノッキング抵抗性を示すほど、副室３４の異常燃焼限界は遅角側にシフトする。すなわち、高ノッキング抵抗性を有するガス燃料（例えば、高メタン価のガス燃料）を用いているときには、正常点火域が進角側にも遅角側にも拡大する。逆に、ノッキング抵抗指数が低ノッキング抵抗性を示すほど、副室３４の異常燃焼限界は進角側にシフトする。すなわち、低ノッキング抵抗性を有するガス燃料（例えば、低メタン価のガス燃料）を用いているときには、正常点火域が進角側にも遅角側にも縮小する。
【００６２】
前述のとおり、点火時期は、ガスエンジン１の高出力及び高効率を達成するため、ノッキング限界付近に設定される。そのうえで、負荷平準化やノッキングの回避のため、点火時期は適宜調節される。このとき、副室３４の異常燃焼限界に対する知見がなければ、副室３４の異常燃焼を見過ごすような形で燃焼制御が実行されることになる。特に、高メタン価のガス燃料の安定供給が保証された環境下でガスエンジン１が設計された場合には、広い正常点火域が担保されているので、当該知見に気付きにくい。また、副室３４の異常燃焼が最も発生しやすい、副室内圧が圧縮上死点で最大値となる点火時期（基準点火時期）においても、副室３４の異常燃焼が発生しない場合がある。しかし、副室３４の異常燃焼限界の存在が看過されてガスエンジン１の設計がなされ、低メタン価のガス燃料が使用された場合には、点火時期が上記のように負荷平準化やノッキングの回避のために適宜調節されたときに、副室３４の異常燃焼が生じるおそれがある。更に、副室３４の異常燃焼限界に対する知見を得ていても、種々目的が異なる複数の制御を並行実施して点火時期を狭い正常点火域内で調整しなければならず、結果として点火時期を制御対象とした各種制御を満足に実行することができなくなるおそれがある。
【００６３】
そこで、本実施形態に係る燃焼安定化装置１００では、ノッキング抵抗指数が低ノッキング抵抗性を示すようになると、目標副室燃料供給期間を短くする。これにより、副室３４内の燃焼が鈍化する。燃焼が鈍化すると、副室３４内の異常燃焼が発生しにくくなる。これにより、点火時期をより遅角しても、副室３４内で異常燃焼が生じるのを抑制することができる。すなわち、副室３４の異常燃焼限界を遅角側にシフトすることができる（図６の破線及び図７の「副室燃料供給期間：短」の場合）。これにより、低ノッキング抵抗性を有するガス燃料を用いている場合においても、正常点火域を広くすることができるようになる。よって、主室３３内のノッキングも副室３４内の異常燃焼も回避しながら、点火時期の調整幅を大きくとって各種制御を満足に実行することができるようになる。
【００６４】
このように本実施形態に係る燃焼安定化装置１００によれば、点火時期の変動及びガス燃料の性状の変動に対応して副室３４の燃焼状態の安定化を図ることができる。このため、ひいては主室３３内の不測の異常燃焼をも抑制することができる。
【００６５】
これまで本発明に係る実施形態について説明したが、上記構成は、単なる一例に過ぎず適宜変更可能である。例えば、ガス燃料の性状に応じた目標副室燃料供給期間の調整は必ずしも実施されなくてもよい。内圧評価パラメータは、副室の内圧を決定するパラメータであればよく、点火時期に限定されない。例えば、制御器６０は、給気工程及び圧縮行程における任意タイミングにおける主室３３の内圧に応じて目標副室燃料供給量を設定してもよい。また、上記実施形態では、副室３４へのガス燃料の供給量を制御するために、目標副室燃料供給期間を制御したが、副室燃料供給装置２２から副室３４へのガス燃料の供給量そのものを制御してもよいし、副室燃料供給装置２２に供給されるガス燃料の圧力を調整するための手段（例えば、バルブ及び／又はコンプレッサ）を操作してもよい。本発明は、副室式火花点火を採用したガスエンジンだけでなく、副室式パイロット着火を採用したガスエンジンにも適用可能である。
【産業上の利用可能性】
【００６６】
本発明は、副室内の燃焼状態を安定化することができるとの顕著な作用効果を奏し、副室内の混合気の点火時期を制御可能に構成された副室式火花点火ガスエンジンに適用すると有益である。
【符号の説明】
【００６７】
１  ガスエンジン
３  交流発電機
４  気筒
２１  主室燃料供給装置
２２  副室燃料供給装置
２３  点火装置
３２  燃焼室
３３  主室
３４  副室
５１  ノッキング抵抗指数センサ
６０  制御器
【図１】
2014049646.tif 000003
【図２】
2014049646.tif 000004
【図３】
2014049646.tif 000005
【図４】
2014049646.tif 000006
【図５】
2014049646.tif 000007
【図６】
2014049646.tif 000008
【図７】
2014049646.tif 000009
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
主室及び該主室と連通する副室を有した燃焼室と、前記副室内で燃焼を誘導する点火装置とを備える副室式ガスエンジンに適用される燃焼安定化装置であって、
前記副室にガス燃料を供給する副室燃料供給装置と、
前記副室燃料供給装置から前記副室へのガス燃料の供給量の目標値である目標副室燃料供給量を設定する制御装置と、を備え、
前記制御装置は、点火後の前記副室の内圧を決定する内圧評価パラメータに応じて前記目標副室燃料供給量を設定し、前記内圧評価パラメータが点火時期である、副室式ガスエンジン用の燃焼安定化装置。
【請求項２】
前記制御装置は、前記内圧評価パラメータに応じて前記目標副室燃料供給量を求めるための制御マップを記憶している、請求項１に記載の副室式ガスエンジン用の燃焼安定化装置。
【請求項３】
点火時期が、前記副室の内圧を圧縮上死点で最大値とする基準点火時期よりも進角されている場合、前記制御装置は、当該点火時期が遅角していればしているほど、前記目標副室燃料供給量を小さくなるよう設定する、請求項１又は２に記載の副室式ガスエンジン用の燃焼安定化装置。
【請求項４】
前記制御装置は、前記基準点火時期に対応して設定される目標副室燃料供給量を最小値とする、請求項３に記載の副室式ガスエンジン用の燃焼安定化装置。
【請求項５】
主室及び該主室と連通する副室を有した燃焼室と、前記副室内で燃焼を誘導する点火装置とを備える副室式ガスエンジンに適用される燃焼安定化装置であって、
前記副室にガス燃料を供給する副室燃料供給装置と、
前記副室燃料供給装置から前記副室へのガス燃料の供給量の目標値である目標副室燃料供給量を設定する制御装置と、
前記副室燃料供給装置から供給されるガス燃料の性状として、前記ガスエンジンでのノッキングの生じにくさを示すノッキング抵抗指数を検出する性状検出器と、を備え、
前記制御装置は、点火後の前記副室の内圧を決定する内圧評価パラメータ、及び前記性状検出器により検出されたノッキング抵抗指数に応じて目標副室燃料噴射量を設定し、ノッキング抵抗指数が低ノッキング抵抗性を示していればいるほど前記目標副室燃料噴射量を小さくする、副室式ガスエンジン用の燃焼安定化装置。
【国際調査報告】
2014049646.tif 000010
2014049646.tif 000011